(57)【要約】【課題】何度でも繰り返し貼付物の貼付、取外しを行うことができ、貼付を行うための貼付補助具が不要で、広告紙等の貼付物自体に何の処理も必要とせず、環境汚染の問題も生じない脱着自在板及び脱着自在ボードを提供すること。【解決手段】脱着自在板１は、広告紙等の貼付物８を脱着自在に貼付することができる脱着用樹脂層３を、基材２の表面に設けてなり、かつ脱着用樹脂層３は、シリコン樹脂７０〜９５ｗｔ％と、シリコン粘着剤５〜３０ｗｔ％との混合物に添加剤を添加してなる。脱着自在板１は、基材２の裏面に接着剤層４を有しており、貼付面７１に接着固定されている。【選択図】図１
2005208424.tif 000002
【特許請求の範囲】
【請求項１】
基材の表面に、広告紙等の貼付物を脱着自在に貼付することができる脱着用樹脂層を設けてなり、かつ該脱着用樹脂層は、シリコン樹脂７０〜９５ｗｔ％と、シリコン粘着剤５〜３０ｗｔ％との混合物に添加剤を添加してなることを特徴とする脱着自在板。
【請求項２】
請求項１において、上記基材はフィルム状に成形されており、該基材の裏面には、接着剤層が設けてあることを特徴とする脱着自在板。
【請求項３】
請求項１又は２において、上記基材は、ポリエチレン樹脂、アクリル樹脂、ポリプロピレン樹脂、ポリエチレンテレフタレート樹脂（ＰＥＴ）、ポリオレフィン樹脂又は紙のいずれかからなることを特徴とする脱着自在板。
【請求項４】
請求項１〜３のいずれか一項において、上記基材及び上記脱着用樹脂層は、透明体であることを特徴とする脱着自在板。
【請求項５】
請求項１〜４のいずれか一項に記載した脱着自在板を、パネルの表面に接着してなることを特徴とする脱着自在パネル。
【請求項６】
請求項５において、上記パネルは、プラスチック、ゴム、プラスチックもしくはゴムの発泡体、ガラス、窓ガラス、木材又は金属のいずれかからなることを特徴とする脱着自在パネル。
【発明の詳細な説明】
【技術分野】
【０００１】
本発明は、宣伝・広告用紙等の貼付物を脱着自在に貼り付けることができる脱着自在板及び脱着自在パネルに関する。
【背景技術】
【０００２】
スーパー、デパート、ホームセンター等の店内、電車、バス等の乗物、ホテル、旅館、電車の駅等の建物などにおいては、宣伝・広告のための広告紙又は各種の案内を行うための表示紙等の貼付物が、壁、ボード等の貼付面に多く貼り付けられている。
そして、従来これらの広告紙又は表示紙等の貼付物を貼り付ける方法としては、片面に粘着面を有するか、もしくは両面に粘着面を有する粘着テープ等を用いて貼り付けている。また、画鋲、ピン等を用いて留め付けるか、又はマグネット等を用いてマグネットボードに貼り付けておく方法等が採用されている。
【０００３】
しかしながら、上記従来の方法によると、貼付を行うために粘着テープ、画鋲、ピン又はマグネット等の貼付補助具が必要になってしまう。また、画鋲、ピン等により貼付を行うことができるのは、柔らかい表面を有する貼付面のみであり、硬い表面を有する貼付面には張り付けることができない。また、マグネット等の付着による場合には、鉄板等を内部に有するマグネットボードを準備した場所にしか貼付を行うことができない。
そのため、貼付を行うための貼付補助具を必要とせず、広告紙等を貼付、取外しが自由自在で、必要な場所に簡単に貼り付けることができる方法が望まれている。
【０００４】
また、例えば３ｍ四方もの大きさを有する大型の宣伝広告写真紙等を貼付物とした場合、その貼付物の裏面に貼付補助具としての糊面や接着面を設けて、大型のボード等に貼付することもごく一般に行われている。しかしながら、この場合には、広告期間等が過ぎて貼付物が不要になったときには、ボードも廃棄しなければならなず、物資面、環境汚染面でも問題がある。
なお、接着剤を用いてラベル、印画紙等を貼り付ける方法としては、例えば特許文献１に開示された方法がある。
【０００５】
【特許文献１】特開平６−２００２２１号公報
【発明の開示】
【発明が解決しようとする課題】
【０００６】
本発明は、かかる従来の問題点に鑑みてなされたもので、何度でも繰り返し貼付物の貼付、取外しを行うことができ、貼付を行うための貼付補助具が不要で、広告紙等の貼付物自体に何の処理も必要とせず、環境汚染の問題も生じない脱着自在板及び脱着自在ボードを提供しようとするものである。
【課題を解決するための手段】
【０００７】
第１の発明は、基材の表面に、広告紙等の貼付物を脱着自在に貼付することができる脱着用樹脂層を設けてなり、かつ該脱着用樹脂層は、シリコン樹脂７０〜９５ｗｔ％と、シリコン粘着剤５〜３０ｗｔ％との混合物に添加剤を添加してなることを特徴とする脱着自在板にある（請求項１）。
【０００８】
本発明の脱着自在板は、上記脱着用樹脂層に、各種の宣伝、広告を行うための広告紙又は各種の案内を行うための表示紙等を上記貼付物として脱着自在に貼り付けることができる。そのため、粘着テープ、画鋲、マグネット又は接着剤等の貼付補助具を何ら使用することなく、脱着用樹脂層に対して、何度でも貼付物の貼付、取外しを繰り返すことができる。
【０００９】
そのため、脱着自在板を、貼付物を貼り付ける場所である壁、天井、床、ボード等の貼付面に設けておくことにより、この貼付面に、貼付物を極めて容易に貼り付けることができる。そして、脱着自在板の脱着用樹脂層に貼付する貼付物は、それ自体に何ら粘着性を有する必要がなく、通常使用する紙、プラスチック又は金属等であってもよい。
また、上記貼付物を貼り付ける貼付面を、画鋲等が突き刺さる面にしたり、マグネットボードにしたりする準備をしなくても、上記貼付物を容易に貼り付けることができる。
【００１０】
また、貼付物は、貼付面から極めて容易に取り外す（剥がす）ことができ、貼り直しをしたり、他の貼付物に貼り替えたりすることも極めて容易である。そのため、例えば、脱着自在板をボード等に設け、これに大型の宣伝広告写真紙等を貼付物として貼り付ける場合、広告期間等が過ぎて貼付物が不要になったときには、容易に貼付物を剥がすことができる。そのため、ボード等を再利用することができ、物資面、環境汚染面でも問題が生じない。
【００１１】
さらに、上記脱着用樹脂層の表面には、例えば油性インク等で文字等を書くことも、これを消すこともできる。そのため、脱着自在板は、白板、黒板等の代用をさせることもできる。
それ故、本発明によれば、何度でも繰り返し貼付物の貼付、取外しを行うことができ、貼付を行うための貼付補助具が不要で、広告紙等の貼付物自体に何の処理も必要とせず、環境汚染の問題も生じない脱着自在板を提供することができる。
【００１２】
第２の発明は、上記脱着自在板を、パネルの表面に接着してなることを特徴とする脱着自在パネルにある（請求項５）。
本発明の脱着自在パネルは、上記優れた性質を有する脱着用樹脂層を有している。それ故、本発明によれば、上記発明と同様に優れた作用効果を呈することができる脱着自在パネルを提供することができる。
また、上記脱着用樹脂層を所望形状を有するパネルに形成して脱着自在パネルとすることにより、この脱着自在パネルを様々な場所に設置して、上記貼付物の貼付、取外しを自在に行うことができる。
【発明を実施するための最良の形態】
【００１３】
上述した本発明の脱着自在板及び脱着自在パネルにおける好ましい実施の形態につき説明する。
上記第１、第２の発明において、上記シリコン樹脂としては、オイル系、レジン系又はゴム系等がある。
なお、上記シリコン樹脂とはケイ素・酸素結合によって作られた重合体のことをいう。
【００１４】
また、上記添加剤としては、上記シリコン樹脂の重合反応を促進させるための触媒、及び脱着用樹脂層の基材への密着性を向上させるための密着性向上剤等がある。
また、シリコン樹脂とシリコン粘着剤との混合物に対する触媒の添加割合は、０．１〜１．５ｗｔ％とすることができる。また、この触媒の添加割合は、０．５〜１ｗｔ％とすることがさらに好ましい。
【００１５】
また、シリコン樹脂とシリコン粘着剤との混合物に対する密着性向上剤の添加割合は、２〜６ｗｔ％とすることができる。また、この密着性向上剤の添加割合は、シリコン樹脂を基材により強固に密着させるためには、４〜６ｗｔ％とすることがさらに好ましい。
また、上記脱着用樹脂層は、プライマー処理を行うことによって、基材の表面に一層強固に密着させることもできる。
【００１６】
また、上記脱着用樹脂層を構成する混合物におけるシリコン樹脂の混合割合が７０ｗｔ％未満になり、シリコン粘着剤の混合割合が３０ｗｔ％を超える場合には、シリコン粘着剤の混合割合が多くなり、脱着用樹脂層に貼付物を一旦貼り付けた後、これを剥がすことが困難になる。一方、脱着用樹脂層を構成する混合物におけるシリコン樹脂の混合割合が９５ｗｔ％を超え、シリコン粘着剤の混合割合が５ｗｔ％を未満となる場合には、シリコン粘着剤の混合割合が少なくなり、脱着用樹脂層に貼付物を貼り付けることが困難になる。
また、上記脱着用樹脂層を構成する混合物は、シリコン樹脂８０〜９０ｗｔ％と、シリコン粘着剤１０〜２０ｗｔ％との混合物からなることがさらに好ましい。
【００１７】
また、上記脱着用樹脂層に貼り付ける貼付物は、必ずしも木の繊維、パルプ等からなる通常の広告紙等の紙、あるいはプラスチックもしくはゴム等のシート又は金属のシート等からなるものとすることもできる。また、上記貼付物の形状は、必ずしもシート状に限られるものではなく、接触面積がある程度あり、質量がある程度小さいものであれば、上記脱着用樹脂層に自由自在に貼付を行うことができる。
【００１８】
なお、脱着自在板又は脱着自在パネルを長期間使用した場合、又はこれらを配設した場所の周辺で掃除等を行った場合に、上記脱着用樹脂層に塵や埃等が付着し、貼付力が弱まるおそれがある。しかし、この場合でも、この脱着用樹脂層に水拭き等の清掃を行うだけで、再び貼付力を回復させることができる。
また、脱着自在板又は脱着自在パネルは、スーパー、デパート、ホームセンター等の店内、電車、バス等の乗物、ホテル、旅館、電車の駅等の建物など様々な場所で使用することができる。
【００１９】
上記第１の発明において、上記基材はフィルム状に成形されており、該基材の裏面には、接着剤層が設けてあることが好ましい（請求項２）。
この場合には、上記基材が上記フィルム状であるため、脱着自在板の可撓性を向上させることができ、上記接着剤層により、脱着自在板を平坦面の他、円柱等の湾曲面など様々な場所に接着固定することができる。そのため、脱着自在板を弾性変形させて様々な場所に接着固定することができ、広告・表示機能を向上させることができる。
なお、フィルム状の基材とは、厚みが５０〜３００μｍである基材のことをいう。
また、上記接着剤層としては、例えば、アクリル系接着剤又はウレタン系接着剤等を用いることができる。
【００２０】
また、上記基材は、ポリエチレン樹脂、アクリル樹脂、ポリプロピレン樹脂、ポリエチレンテレフタレート樹脂（ＰＥＴ）、ポリオレフィン樹脂又は紙のいずれかからなることが好ましい（請求項３）。
この場合には、上記基材の表面に上記脱着用樹脂層を一体的に形成することが容易である。また、基材を容易にフィルム状に成形することができる。
【００２１】
また、上記基材及び上記脱着用樹脂層は、透明体であることが好ましい（請求項４）。
この場合には、上記脱着自在板をガラス窓、壁、ボード等に接着した際に、この脱着自在板の存在を目立たなくすることができる。
なお、基材及び脱着用樹脂層は、種々の色に着色することもできる。また、例えば、基材の裏面、すなわち脱着用樹脂層を形成した表面とは反対側の面には、意匠性を考慮した色模様を形成することもできる。
【００２２】
また、上記第２の発明において、上記脱着自在板を接着するためのパネルは、プラスチック、ゴム、プラスチックもしくはゴムの発泡体、ガラス、窓ガラス、木材又は金属のいずれかからなることができる（請求項６）。
この場合には、脱着自在パネルを、小型、大型、中型等の予め適度の大きさに作製しておくことができる。
【実施例】
【００２３】
以下に、本発明の脱着自在板及び脱着自在パネルにかかる実施例につき、図面と共に説明する。
（実施例１）
本例の脱着自在板１は、図１、図２に示すごとく、広告紙等の貼付物８を脱着自在に貼付することができる脱着用樹脂層３を、基材２の表面に設けてなり、かつ脱着用樹脂層３は、シリコン樹脂７０〜９５ｗｔ％と、シリコン粘着剤５〜３０ｗｔ％との混合物に添加剤を添加（含有）してなる。
以下に、これを詳説する。
【００２４】
図２に示すごとく、本例の基材２は、その厚みが約７５μｍであるフィルム状に成形されており、ポリエチレンテレフタレート（ＰＥＴ）からなる。そして、本例の脱着自在板１は、可撓性を有するフィルム状の脱着自在シートとして形成されている。
また、本例の脱着用樹脂層３における添加剤は、シリコン樹脂の重合反応を促進させ、シリコン樹脂を安定して厚く基材２の表面に定着させるための触媒、及び脱着用樹脂層３の基材２への密着性を向上させるための密着性向上剤からなる。そして、本例では、シリコン樹脂とシリコン粘着剤との混合物に対する触媒の添加割合は、約１ｗｔ％とし、上記混合物に対する密着性向上剤の添加割合は、約５ｗｔ％とした。
【００２５】
また、本例では、シリコン樹脂として、信越化学工業（株）製の信越シリコーン（ＫＮＳ３０５）を用い、シリコン粘着剤として、東レ・ダウコーニング・シリコーン（株）製のＳＨ４２８０を用いた。また、触媒としては、白金触媒を用いた。
また、本例の脱着用樹脂層３は、基材２の表面にプライマー処理を行うことによって、基材２の表面により強固に密着させた。
【００２６】
そして、脱着用樹脂層３は、約３０μｍの厚みを有する層として形成されている。また、本例の脱着自在板１は、上記基材２の裏面に、アクリル系接着剤からなる接着剤層４を有している。この接着剤層４は、約３０μｍの厚みを有する層として形成されている。
【００２７】
こうして、脱着自在板１は、基材２の表面に脱着用樹脂層３を塗布し、一方、基材２の裏面に接着剤層４を塗布してなる。
また、本例の脱着自在板１は、接着剤層４により、パネル、ガラス窓、柱、壁板、ボード７等の様々な場所に接着固定することができる。また、本例の脱着自在板１、すなわち基材２及び脱着用樹脂層３は、接着固定した際に、その存在が目立たないよう透明体として成形されている。
【００２８】
本例の脱着自在板１は、図２に示すごとく、上記脱着用樹脂層３に、各種の宣伝、広告を行うための広告紙又は各種の案内を行うための表示紙等を上記貼付物８として脱着自在に貼り付けることができる。そのため、粘着テープ、画鋲、マグネット又は接着剤等の貼付補助具を何ら使用することなく、脱着用樹脂層３に対して、何度でも貼付物８の貼付、取外しを繰り返すことができる。
【００２９】
そのため、図１に示すごとく、脱着自在板１を、貼付物８を貼り付ける場所である壁、天井、床、ボード７等の貼付面７１に設けておくことにより、この貼付面７１に、貼付物８を極めて容易に貼り付けることができる。そして、脱着自在板１の脱着用樹脂層３に貼付する貼付物８は、それ自体に何ら粘着性を有する必要がなく、通常使用する紙、プラスチック又は金属等とすることができる。
また、貼付物８を貼り付ける貼付面７１を、画鋲等が突き刺さる面にしたり、マグネットボードにしたりする準備をしなくても、貼付物８を容易に貼り付けることができる。
【００３０】
また、貼付物８は、貼付面７１から極めて容易に取り外す（剥がす）ことができ、貼り直しをしたり、他の貼付物８に貼り替えたりすることも極めて容易である。そのため、例えば、脱着自在板１をボード７等に設け、これに大型の宣伝広告写真紙等を貼付物８として貼り付ける場合、広告期間等が過ぎて貼付物８が不要になったときには、容易に貼付物８を剥がすことができる。そのため、ボード７等を再利用することができ、物資面、環境汚染面でも問題が生じない。
【００３１】
さらに、上記脱着自在板１は、その脱着用樹脂層３に油性ペン又は水性ペン等によって文字、図形等を書くことも可能である。そして、これらの文字、図形等は、乾拭きをするだけでも容易に落とすことができる。そのため、脱着自在板１は、様々な場所に接着固定して、白板、黒板等の代わりに使用することも可能である。
それ故、本例によれば、何度でも繰り返し貼付物８の貼付、取外しを行うことができ、貼付を行うための貼付補助具が不要で、広告紙等の貼付物８自体に何の処理も必要とせず、環境汚染の問題も生じない脱着自在板１を提供することができる。
【００３２】
また、上記脱着用樹脂層３の表面は、貼付物８を容易に貼り付けることができるものの、シリコン粘着剤に含まれる粘着剤特有の粘り気が少なく、例えば、指で触れたときに指が付着してしまうようなことはなく、感触に優れた表面を形成することができる。
また、上記脱着自在板１は、上記貼付物８を貼り付ける以外にも種々の用途に使用することもできる。すなわち、例えば、生活用品、電化製品等の種々のものが位置ずれを起こさないように、これらのものを所定の場所に貼り付けておくために使用することができる。その一例として、ファミリーレストラン等の飲食店で使用するお盆に脱着自在板１を接着固定しておき、この上に食器等を貼り付けることにより、食器等の滑り止めを行うことができる。
【００３３】
また、脱着自在板１は、必ずしも貼付面７１の全面に接着固定して使用する必要はなく、例えば、図３に示すごとく、貼付面７１に対して部分的に接着固定して使用することができる。この場合には、大きな貼付物８等を貼り付ける際に、脱着自在板１の使用量を減らすことができる。
【００３４】
（実施例２）
本例は、図４に示すごとく、硬化ポリスチレン樹脂の発泡体からなるパネル６の表面に、ポリエチレンテレフタレート（ＰＥＴ）からなるフィルム状の基材２の裏面をアクリル系接着剤からなる接着剤層４により接着してなる脱着自在パネル５を示す例である。また、上記基材２の表面には、上記シリコン樹脂７０〜９５ｗｔ％とシリコン粘着剤５〜３０ｗｔ％との混合物に添加剤を添加してなる脱着用樹脂層３が設けてある。
本例の脱着自在パネル５は、上記実施例１に示した優れた性質を有する脱着用樹脂層３を有しており、上記実施例１と同様に、優れた作用効果を呈することができる。
【００３５】
また、上記脱着用樹脂層３を所望形状を有するパネル６に形成して脱着自在パネル５とすることにより、この脱着自在パネル５をドア、窓、柱、コンクリート壁など様々な場所に設置して、上記貼付物８の貼付、取外しを自在に行うことができる。
本例においても、その他は上記実施例１と同様であり、上記実施例１と同様の作用効果を得ることができる。
【図面の簡単な説明】
【００３６】
【図１】実施例１における、貼付面に接着固定して脱着自在板に対して、貼付物の貼付、取外しを行う状態を示す断面図。
【図２】実施例１における、脱着自在板を示す断面斜視図。
【図３】実施例１における、脱着自在板を貼付面に対して部分的に接着固定した状態を示す正面図。
【図４】実施例２における、脱着自在パネルに対して、貼付物の貼付、取外しを行う状態を示す断面図。
【符号の説明】
【００３７】
１  脱着自在板
２  基材
３  脱着用樹脂層
４  接着剤層
５  脱着自在パネル
６  パネル
７  貼付面
８  貼付物
【図１】
2005208424.tif 000003
【図２】
2005208424.tif 000004
【図３】
2005208424.tif 000005
【図４】
2005208424.tif 000006